(57)【特許請求の範囲】
【請求項１】
所定のパネルに貫通して開けられた取付け孔にアンカーを挿入することにより、パネルに取付けられるクリップであって、
アンカーが、自体の支持剛性を保持するための支柱と、この支柱の外側に配置され、パネルの取付け孔にアンカーが挿入されることで、取付け孔の内周面との干渉により支柱に対して内方へ撓みながら取付け孔を通過し、該取付け孔の縁周辺に係合することができる一対の係止爪と、支柱の先端に成形され、取付け孔の平面形状に合わせた形状の規制ブロックとを備え、アンカーの軸線が取付け孔の軸線に対して傾いた状態で規制ブロックが取付け孔に進入した場合には、一対の係止爪の片方だけが取付け孔の縁に干渉した状態となり、アンカーの回転によってその軸線が取付け孔の軸線と一致した場合には、規制ブロックが取付け孔を通過してアンカーが取付け孔に真っ直ぐ挿入されるように構成されたクリップ。
【請求項２】
請求項１に記載されたクリップであって、
一対の係止爪は、それぞれの一端部が規制ブロックの内端面に結合された弾性変形可能な結合部になっているとともに、他端部が自由端になっており、両係止爪が支柱に対し、結合部をヒンジとして撓むように構成され、支柱は、両係止爪の結合部と対向するそれぞれの箇所において外方へ張り出した受止め片を備え、両係止爪が結合部をヒンジとして内方へ撓んだときに、個々の受止め片によって結合部を受止めてその変形量を規制するように設定されているクリップ。
【請求項３】
請求項２に記載されたクリップであって、
一対の係止爪は、それぞれの結合部が規制ブロックの外周面より内側に位置しているとともに、これらの結合部から自由端に向けて外方へ張り出すように傾斜した外側面を有し、これらの外側面は、パネルの取付け孔に対するアンカーの挿入角度に関係なく、規制ブロックがパネルの取付け孔に進入し終えるまでパネルに干渉しない傾斜に設定されているクリップ。
【発明の詳細な説明】
【技術分野】
【０００１】
本発明は、自動車において例えばワイヤハーネスを所定の配線状態に保持するために使用されるクリップに関し、詳しくはボデー等のパネルに開けられた取付け孔にアンカーを挿入することで該パネルに取付けられるクリップに関する。
【背景技術】
【０００２】
この種のクリップにおけるアンカーの構造は多岐にわたっているものの、基本的には支柱と、支柱の先端部から両側へ張り出した一対の係止爪とを備えた構造になっている。また、特許文献１に開示されているクリップのアンカーは、支柱の先端部に受圧ブロックが設けられている。この受圧ブロックの外側面は、アンカーがパネルの取付け孔に挿入されるときの案内曲面になっている。つまり、アンカーが取付け孔に挿入され始めると、最初に受圧ブロックの案内曲面が取付け孔の縁に接触してアンカーを取付け孔に導入する。
【先行技術文献】
【特許文献】
【０００３】
【特許文献１】特開昭５２−１３６４号公報
【発明の概要】
【発明が解決しようとする課題】
【０００４】
クリップにおけるアンカーの形状は、パネルの取付け孔に対してアンカーを斜め方向からでも導入できるように、一般的には先端部を広く面取りし、あるいは特許文献１のように受圧ブロックの外側面に広い案内曲面を設定している。これでは、取付け孔に対するアンカーの導入性はよいが、アンカーが取付け孔に斜めに挿入されたままでクリップが取付けられる場合があり、クリップの取付け状態および保持荷重が不安定になる。
【０００５】
本発明は、このような課題を解決しようとするもので、その目的は、アンカーが取付け孔に対して斜めに挿入されたままで取付けられることを防止し、クリップの取付け状態および保持荷重を安定させることである。
【課題を解決するための手段】
【０００６】
本発明は、上記の目的を達成するためのもので、以下のように構成されている。
所定のパネルに貫通して開けられた取付け孔にアンカーを挿入することにより、パネルに取付けられるクリップであって、アンカーが、自体の支持剛性を保持するための支柱と、この支柱の外側に配置され、パネルの取付け孔にアンカーが挿入されることで、取付け孔の内周面との干渉により支柱に対して内方へ撓みながら取付け孔を通過し、該取付け孔の縁周辺に係合することができる一対の係止爪と、支柱の先端に成形され、取付け孔の平面形状に合わせた形状の規制ブロックとを備えている。アンカーの軸線が取付け孔の軸線に対して傾いた状態で規制ブロックが取付け孔に進入した場合には、一対の係止爪の片方だけが取付け孔の縁に干渉した状態となり、アンカーの回転によってその軸線が取付け孔の軸線と一致した場合には、規制ブロックが取付け孔を通過してアンカーが取付け孔に真っ直ぐ挿入されるように構成されている。
【０００７】
より好ましくは、一対の係止爪の一端部が規制ブロックの内端面に結合された弾性変形可能な結合部になっているとともに、これらの係止爪の他端部が自由端になっており、両係止爪が支柱に対し、それぞれの結合部をヒンジとして撓むように構成され、支柱は、両係止爪の結合部と対向するそれぞれの箇所において外方へ張り出した受止め片を備え、両係止爪が結合部をヒンジとして内方へ撓んだときに、個々の受止め片によって結合部を受止めてその変形量を規制することである。
【０００８】
さらに好ましくは、一対の係止爪の結合部が規制ブロックの外周面より内側に位置しているとともに、両係止爪が結合部から自由端に向けて外方へ張り出すように傾斜した外側面を有し、これらの外側面は、パネルの取付け孔に対するアンカーの挿入角度に関係なく、規制ブロックがパネルの取付け孔に進入し終えるまでパネルに干渉しない傾斜に設定されていることである。
【発明の効果】
【０００９】
本発明においては、アンカーにおける支柱の先端に成形されて規制ブロックの機能により、アンカーをパネルの取付け孔に挿入する際に、アンカーを取付け孔に導くことができるとともに、アンカーの軸線の傾き角度を規制し、該アンカーをパネルの面とほぼ直角の状態で取付け孔に挿入することができる。この結果、パネルの取付け孔に対してアンカーが斜めに挿入されたままでパネルに取付けられることが防止され、クリップの取付け状態および保持荷重が安定する。
【００１０】
また、アンカーの係止爪が結合部をヒンジとして内方へ撓んだときに、支柱の受止め片によって結合部の変形量を規制することにより、アンカーがパネルの取付け孔に挿入されて取付け孔の縁周辺に係止爪が係合している状態での該係止爪のせん断面が減少するのを防止することができる。この結果、パネルに取付けられたクリップの保持荷重がより安定したものとなる。
【００１１】
さらに、係止爪の結合部が規制ブロックの外周面より内側に位置し、規制ブロックがパネルの取付け孔に進入し終えるまでは、係止爪の外側面がパネルに干渉するのを避けるようになっていることで、規制ブロックの進入が妨げられない。
すなわち、係止爪は、支柱の外側に配置されているとともに、規制ブロックに直接結合されているが、規制ブロックをパネルの取付け孔に進入させるときの妨げにならない。このため、アンカーが取付け孔に対して斜め方向から挿入された場合、その結果としてアンカーはパネルの面とほぼ直角な軸線となるように挿入角度を変えながら取付け孔の中に進入することとなるが、それに伴う規制ブロックの作動軌跡上には何らの障害物も存在しないことになり、規制ブロックはスムースに取付け孔の中に進入する。
【図面の簡単な説明】
【００１２】
【図１】実施の形態１のクリップを表した斜視図。
【図２】実施の形態１のクリップを表した正面図。
【図３】実施の形態１のクリップを表した側面図。
【図４】実施の形態１のクリップを表した平面図。
【図５】実施の形態１のクリップを表した縦断面図。
【図６】実施の形態１のクリップを取付け孔に挿入するときの状態を表した説明図。
【図７】実施の形態１において取付け孔に挿入されたクリップのアンカーを表した平断面図。
【図８】実施の形態１において取付け孔に挿入されたクリップのアンカーを表した断面図。
【図９】本発明と比較するための参考例としての実施の形態を図８の一部と対応させて表した断面図。
【図１０】実施の形態２のクリップを表した斜視図。
【図１１】実施の形態２のクリップを表した側面図。
【図１２】実施の形態２のクリップを表した平面図。
【図１３】実施の形態３のクリップを表した平面図。
【発明を実施するための形態】
【００１３】
以下、本発明を実施するための形態を、図面を用いて説明する。
実施の形態1
まず、図１〜図８で示されているクリップ１０を説明すると、クリップ１０は樹脂材による一体成形品であって、その構造はベース１２、スタビライザー１４およびアンカー２０に大別される。この実施の形態におけるクリップ１０では、ベース１２がワイヤハーネス等を結合するためのテープ巻き部になっているが、ベース１２の形状はこれに限定されない。
スタビライザー１４は、ベース１２の上面において上向きに開いた皿形状をしており、ベース１２に対して弾性によって撓むことができる。アンカー２０は、例えば図６〜図８で示すパネル３０の取付け孔３２に挿入される部分であって、スタビライザー１４の中心部から上方へ突出している。
【００１４】
アンカー２０は、ベース１２と一体の支柱２２を備えている。この支柱２２は板状であって、その矩形の断面形状における長辺が取付け孔３２の長径とほぼ同じか僅かに小さい寸法に設定されている（図７）。支柱２２は、アンカー２０に必要な剛性を有するとともに、支柱２２の基部はその両側に設けられた補強リブ２８によってベース１２に結合されている。また、支柱２２の先端には、規制ブロック２４が一体に成形されている。
【００１５】
規制ブロック２４は、全体の輪郭が取付け孔３２の平面形状（長円形状）に合わせた形状に設定されているとともに、支柱２２の両側において庇状に張り出した庇状部分２４ｂを有する。規制ブロック２４の外周面２４ａは、所定の傾斜角度をもつテーパー面になっている。この規制ブロック２４は、アンカー２０の軸線と取付け孔３２の軸線とが一致した状態、つまりアンカー２０がパネル３０の面とほぼ直角の状態においてのみ、取付け孔３２を通過できる寸法に設定されている。
支柱２２は、規制ブロック２４の庇状部分２４ｂの内側において外方へ張り出した一対の受止め片２３を備えている（図３、図５など）。これらの受止め片２３は、つぎに説明する両係止爪２６の結合部２６ａとそれぞれ対向している。
【００１６】
アンカー２０は、支柱２２の両外側に配置された一対の係止爪２６を備えている。これらの係止爪２６は、パネル３０における取付け孔３２の短径と対応した配置になっている（図７）。そして、両係止爪２６の一端部（上端部）は、規制ブロック２４における庇状部分２４ｂの内端面２４ｃに結合された結合部２６ａとなっており、他端部（下端部）が自由端になっている。両係止爪２６の結合部２６ａは、庇状部分２４ｂの内端面２４ｃから自由端の側に延びるストレート部分であり、規制ブロック２４の外周面２４ａの内側に位置している。
【００１７】
両係止爪２６の結合部２６ａは、他の部分と比較して薄肉になっていて容易に弾性変形することができる。これにより、支柱２２に対して両係止爪２６がそれぞれの結合部２６ａをヒンジとして撓むことができる。
両係止爪２６の外側形状については、それぞれの結合部２６ａから自由端に向けて外方へ張り出すように傾斜した外側面２６ｃを有している（図３、図５、図６）。この外側面２６ｃの最も外方へ張り出した部分から自由端までの部分は内方へ傾斜しており、この傾斜部分に多段の係止部２６ｂが形成されている。また、両係止爪２６の外側面２６ｃについては、後述のようにパネル３０の取付け孔３２にアンカー２０を挿入する際、規制ブロック２４が取付け孔３２に進入し終えるまでパネル３０と干渉しない傾斜に設定されている。
【００１８】
この実施の形態におけるクリップ１０は、ワイヤハーネス等の長さに合わせて複数個用意され、個々のベース１２をワイヤハーネス等の複数箇所にテープ巻きによって結合される。そして、各クリップ１０のアンカー２０をパネル３０の対応する取付け孔３２にそれぞれ挿入することで、ワイヤハーネス等がパネル３０に対して配線される。
【００１９】
クリップ１０のアンカー２０を取付け孔３２に挿入する作業にあたっては、この取付け孔３２に対してアンカー２０が斜め方向からアプローチされることも少なくない。このような場合、図６の実線で示すようにアンカー２０の軸線が取付け孔３２の軸線に対して傾いた状態のまま、規制ブロック２４が取付け孔３２に入り込むこととなる。つまり、図６の実線で示す状態のアンカー２０は、規制ブロック２４の左側部分が既に取付け孔３２に進入し終えているため、図面左側に位置する係止爪２６の外側面２６ｃが取付け孔３２の縁に干渉している。一方、規制ブロック２４の右側部分は未だ取付け孔３２に進入していないため、図面右側に位置する係止爪２６の外側面２６ｃは取付け孔３２の縁から離れている。
【００２０】
前述のように、アンカー２０の軸線が傾いたままでは規制ブロック２４が取付け孔３２を通過できないことから、該アンカー２０は図６の矢印Ｘで示す方向へ回転しながら取付け孔３２の中に進入しようとする。これにより、未だ取付け孔３２に進入していない規制ブロック２４の右側部分は、図６に示す軌跡Ｙを描きながら取付け孔３２の中に進入し始める。そして、規制ブロック２４の右側部分が取付け孔３２に進入し終えた時点では、図面右側に位置する係止爪２６の外側面２６ｃも取付け孔３２の縁に干渉する。
このように、両係止爪２６の外側面２６ｃは、パネル３０の取付け孔３２に対するアンカー２０の挿入角度に関係なく、規制ブロック２４が取付け孔３２に進入し終えるまでパネルに干渉せず、この規制ブロック２４の進入を妨げない。したがって、規制ブロック２４が前述のように軌跡Ｙを描きながら取付け孔３２に進入する場合でも、この軌跡Ｙ上には何ら障害物が存在せず、規制ブロック２４は取付け孔３２の中にスムースに進入することとなる。
【００２１】
既に説明したように、規制ブロック２４の輪郭形状は取付け孔３２の平面形状に合わせている。このため、規制ブロック２４が取付け孔３２に進入することにより、図６の仮想線で示すようにアンカー２０の軸線が取付け孔３２の軸線に一致した状態、つまりアンカー２０がパネル３０の面とほぼ直角になるように保持される。この状態において規制ブロック２４が取付け孔３２を通過でき、それによってアンカー２０が取付け孔３２に対して真っ直ぐに挿入される。
【００２２】
取付け孔３２に対するアンカー２０の挿入に伴い、両係止爪２６が個々の結合部２６ａの弾性変形によって内方へ撓みながら取付け孔３２を通過し、パネル３０の裏面側において係止部２６ｂの一つが取付け孔３２の縁にそれぞれ係止する（図８）。これにより、クリップ１０がパネル３０に取付けられ、その状態に保持される。なお、前述のように両係止爪２６の結合部２６ａは薄肉になっていて容易に弾性変形することから、取付け孔３２に対するクリップ１０の挿入荷重が軽減される。
【００２３】
クリップ１０のアンカー２０が取付け孔３２に真っ直ぐに挿入され始めると、その初期段階でのアンカー２０は、取付け孔３２の内周面に対して支柱２２の両端面および両係止爪２６の計４点で支えられたセット状態となる（図７）。このため、アンカー２０の軸線が真っ直ぐに保たれ、その後のクリップ１０の挿入操作が容易になる。
また、既に説明したように両係止爪２６の外側形状が、外側面２６ｃの最も外方へ張り出した部分から自由端にかけて内方へ傾斜しているため、パネル３０の表面側（アンカー２０を挿入する側）に取付け孔３２のバリがあっても、アンカー２０を取付け孔３２にスムースに挿入することができる。
【００２４】
図８で示すように、クリップ１０がパネル３０に取付けられ状態においては、両係止爪２６がそれぞれの結合部２６ａをヒンジとして内方へ撓んでおり、弾性変形した個々の結合部２６ａが支柱２２の両受止め片２３によって受止められている。これにより、個々の結合部２６ａの変形量が規制され、係止爪２６において図８の寸法Ａで示す部分のせん断面を一定に保つことができる。
これに対し、図９の参考例で示すように係止爪２６の結合部２６ａが支柱２２の外面に当たるまで変形して倒れ込んだ場合には、図９の寸法Ｂで示す部分のせん断面が図８の寸法Ａで示す部分のせん断面と比較して減少している。
【００２５】
このように、パネル３０に取付けられたクリップ１０における係止爪２６のせん断面が一定に保たれることから、図８で示す抜取り方向の力Ｆに対するクリップ１０の保持荷重が安定する。したがって、両係止爪２６の結合部２６ａを薄肉にしてクリップ１０の挿入荷重を軽減できる反面、抜取り方向の力Ｆに対するクリップ１０の保持荷重は充分に確保される。
【００２６】
実施の形態２
図１０〜図１２で示すクリップ１０は、アンカー２０における規制ブロック２４の平面形状の四隅が切除された格好の輪郭になっている。すなわち、実施の形態２の規制ブロック２４においては、支柱２２の両側に張り出した庇状部分２４ｂが両係止爪２６と対応する箇所にのみ残されており、それぞれの内端面２４ｃに両係止爪２６の結合部２６ａが結合されている（図１１）。ただし、この庇状部分２４ｂの範囲は任意であり、例えば両係止爪２６の結合部２６ａの幅よりも大きい範囲とすることも可能である。
なお、実施の形態２の規制ブロック２４についても、アンカー２０がパネル３０の面とほぼ直角の状態においてのみ、取付け孔３２を通過できるように設定されていることに変わりはない。
【００２７】
実施の形態３
図１３で示すクリップ１０は、アンカー２０を構成する一対の係止爪２６が互いにずれて配置されている。この構成においても、前述のようにクリップ１０をパネル３０に取付けた状態に保持するといったアンカー２０の機能は何ら変わらない。
【００２８】
以上は本発明を実施するための最良の形態１〜３を図面に関連して説明したが、これらの実施の形態は本発明の趣旨から逸脱しない範囲で容易に変更または変形できるものである。
【符号の説明】
【００２９】
１０   クリップ
２０   アンカー
２２   支柱
２４   規制ブロック
２６   係止爪
３０   パネル
３２   取付け孔
【図１】
0005917244.tif 000002
【図２】
0005917244.tif 000003
【図３】
0005917244.tif 000004
【図４】
0005917244.tif 000005
【図５】
0005917244.tif 000006
【図６】
0005917244.tif 000007
【図７】
0005917244.tif 000008
【図８】
0005917244.tif 000009
【図９】
0005917244.tif 000010
【図１０】
0005917244.tif 000011
【図１１】
0005917244.tif 000012
【図１２】
0005917244.tif 000013
【図１３】
0005917244.tif 000014